(57)【要約】【課題】周波数帯域の広いアンテナを提供することができる技術を提供することを目的とする。【解決手段】アンテナ装置は、基板と、前記基板に設けられるとともに、給電部と開放端とを備える第１アンテナ素子と、前記第１アンテナ素子と同じ周波数帯で利用されるとともに、前記基板に設けられ、給電部と開放端とを備える第２アンテナ素子と、前記基板の前記第１アンテナ素子と前記第２アンテナ素子との間の位置に設けられたグランド電極と、を備える。【選択図】図２
2008300897.tif 000002
【特許請求の範囲】
【請求項１】
アンテナ装置であって、
基板と、
前記基板に設けられるとともに、給電部と開放端とを備える第１アンテナ素子と、
前記第１アンテナ素子と同じ周波数帯で利用されるとともに、前記基板に設けられ、給電部と開放端とを備える第２アンテナ素子と、
前記基板の前記第１アンテナ素子と前記第２アンテナ素子との間の位置に設けられたグランド電極と、
を備える、アンテナ装置。
【請求項２】
請求項１に記載のアンテナ装置であって、
前記第１アンテナ素子と前記第２アンテナ素子とのそれぞれは、
一端が前記給電部に接続された線状の整合素子と、
前記整合素子の他端に接続されるとともに、前記整合素子の他端から遠いほど幅が広くなる拡張平板部と、
をそれぞれ含む、アンテナ装置。
【請求項３】
請求項１または請求項２に記載のアンテナ装置であって、
前記グランド電極は、所定の第１方向に延びて開放端に至るグランド導体部を含み、
前記第１アンテナ素子と前記第２アンテナ素子とは、前記グランド導体部を挟んで対向する、
アンテナ装置。
【請求項４】
請求項３に記載のアンテナ装置であって、
前記グランド導体部の前記開放端は、前記第１アンテナ素子の前記第１方向側の端と、前記第２アンテナ素子の前記第１方向側の端と、のそれぞれよりも、前記第１方向側に配置され、
前記グランド電極は、さらに、
前記グランド導体部の前記開放端から前記第１アンテナ素子側に突出する第１突出部と、
前記グランド導体部の前記開放端から前記第２アンテナ素子側に突出する第２突出部と、
を含む、
アンテナ装置。
【請求項５】
請求項４に記載のアンテナ装置であって、
前記第１アンテナ素子の全体は、前記第１突出部の先端を通り前記第１方向に並行な第１仮想線によって区切られる２つの領域の内の、前記グランド導体部を含む領域とは異なる他方の領域内に設けられ、
前記第２アンテナ素子の全体は、前記第２突出部の先端を通り前記第１方向に並行な第２仮想線によって区切られる２つの領域の内の、前記グランド導体部を含む領域とは異なる他方の領域内に設けられている、
アンテナ装置。
【請求項６】
請求項３ないし請求項５のいずれかに記載のアンテナ装置であって、
前記第１方向と垂直な方向と平行に前記第１アンテナ素子を前記グランド電極に向けて投影して得られる写像の全体が、前記グランド電極と重なり、
前記第１方向と垂直な方向と平行に前記第２アンテナ素子を前記グランド電極に向けて投影して得られる写像の全体が、前記グランド電極と重なる、
アンテナ装置。
【請求項７】
請求項１ないし請求項６のいずれかに記載のアンテナ装置であって、
前記基板の一部の領域であるグランド領域には、前記基板の表面あるいは内部にグランド導電パターンが設けられ、
前記第１アンテナ素子と前記第２アンテナ素子とは、前記基板の厚さ方向に沿って見たときに、前記グランド領域と重ならない位置に、それぞれ配置されている、
アンテナ装置。
【請求項８】
請求項１ないし請求項７のいずれかに記載のアンテナ装置であって、さらに、
誘電体または磁性体で構成された第１素子基材と、
誘電体または磁性体で構成された第２素子基材と、を含み、
前記第１アンテナ素子の少なくとも一部は前記第１素子基材の表面または内部に設けられ、
前記第２アンテナ素子の少なくとも一部は前記第２素子基材の表面または内部に設けられている、
アンテナ装置。
【請求項９】
請求項１ないし請求項８のいずれかに記載のアンテナ装置であって、
前記第１アンテナ素子と前記第２アンテナ素子とのそれぞれは、前記グランド電極による共振によって複共振アンテナとして動作する、
アンテナ装置。
【発明の詳細な説明】
【技術分野】
【０００１】
本発明は、アンテナ装置に関するものである。
【背景技術】
【０００２】
携帯電話や無線ネットワーク端末等の無線通信機器が広く普及している。このような無線通信機器のために、種々のアンテナが提案されている。例えば、誘電体部材の表面または内部に放射電極を配置したアンテナや、板状の逆Ｆアンテナが提案されている。
【０００３】
【特許文献１】特開２００７−８８６２８号公報
【特許文献２】特開２００４−２６６３１１号公報
【特許文献３】特開２００３−２８３２３８号公報
【特許文献４】特開２００６−２７９１５９号公報
【０００４】
また、近年、広い周波数帯域を利用する無線通信方式が提案されている。このような通信方式としては、例えば、ＵＷＢ（Ultra Wide Band）やＷｉＭＡＸ（Worldwide Interoperability for Microwave Access）が挙げられる。このような通信方式を利用するために、周波数帯域の広いアンテナを提供する技術が望まれていた。
【発明の開示】
【発明が解決しようとする課題】
【０００５】
本発明は、上記の課題の少なくとも一部を解決するためになされたものであり、周波数帯域の広いアンテナを提供することができる技術を提供することを目的とする。
【課題を解決するための手段】
【０００６】
本発明は、上述の課題の少なくとも一部を解決するためになされたものであり、以下の形態又は適用例として実現することが可能である。
【０００７】
［適用例１］アンテナ装置であって、基板と、前記基板に設けられるとともに、給電部と開放端とを備える第１アンテナ素子と、前記第１アンテナ素子と同じ周波数帯で利用されるとともに、前記基板に設けられ、給電部と開放端とを備える第２アンテナ素子と、前記基板の前記第１アンテナ素子と前記第２アンテナ素子との間の位置に設けられたグランド電極と、を備える、アンテナ装置。
【０００８】
この構成によれば、２つのアンテナ素子のそれぞれとグランド電極との間の電磁的な相互作用によって、周波数帯域の広いアンテナを提供することができる
【０００９】
［適用例２］適用例１に記載のアンテナ装置であって、前記第１アンテナ素子と前記第２アンテナ素子とのそれぞれは、一端が前記給電部に接続された線状の整合素子と、前記整合素子の他端に接続されるとともに、前記整合素子の他端から遠いほど幅が広くなる拡張平板部と、をそれぞれ含む、アンテナ装置。
【００１０】
この構成によれば、周波数帯域をさらに拡張し、そして、インピーダンスを容易に調整することができる。
【００１１】
［適用例３］適用例１または適用例２に記載のアンテナ装置であって、前記グランド電極は、所定の第１方向に延びて開放端に至るグランド導体部を含み、前記第１アンテナ素子と前記第２アンテナ素子とは、前記グランド導体部を挟んで対向する、アンテナ装置。
【００１２】
この構成によれば、グランド電極の大きさが過剰に大きくなることを抑制できる。
【００１３】
［適用例４］適用例３に記載のアンテナ装置であって、前記グランド導体部の前記開放端は、前記第１アンテナ素子の前記第１方向側の端と、前記第２アンテナ素子の前記第１方向側の端と、のそれぞれよりも、前記第１方向側に配置され、前記グランド電極は、さらに、前記グランド導体部の前記開放端から前記第１アンテナ素子側に突出する第１突出部と、前記グランド導体部の前記開放端から前記第２アンテナ素子側に突出する第２突出部と、を含む、アンテナ装置。
【００１４】
この構成によれば、２つのアンテナ素子の間の電磁的な相互作用を抑制しつつ、アンテナ装置が過剰に大きくなることを抑制できる。
【００１５】
［適用例５］適用例４に記載のアンテナ装置であって、前記第１アンテナ素子の全体は、前記第１突出部の先端を通り前記第１方向に並行な第１仮想線によって区切られる２つの領域の内の、前記グランド導体部を含む領域とは異なる他方の領域内に設けられ、前記第２アンテナ素子の全体は、前記第２突出部の先端を通り前記第１方向に並行な第２仮想線によって区切られる２つの領域の内の、前記グランド導体部を含む領域とは異なる他方の領域内に設けられている、アンテナ装置。
【００１６】
この構成によれば、各アンテナ素子とグランド電極との間の電磁的相互作用が過剰に強くなることを抑制し、周波数帯域が狭くなることを抑制できる。
【００１７】
［適用例６］適用例３ないし適用例５のいずれかに記載のアンテナ装置であって、前記第１方向と垂直な方向と平行に前記第１アンテナ素子を前記グランド電極に向けて投影して得られる写像の全体が、前記グランド電極と重なり、前記第１方向と垂直な方向と平行に前記第２アンテナ素子を前記グランド電極に向けて投影して得られる写像の全体が、前記グランド電極と重なる、アンテナ装置。
【００１８】
この構成によれば、第１アンテナ素子と第２アンテナ素子との間の電磁的な相互作用が、グランド電極によって抑制される。その結果、これらのアンテナ素子間のアイソレーション特性を改善することができる。
【００１９】
［適用例７］適用例１ないし適用例６のいずれかに記載のアンテナ装置であって、前記基板の一部の領域であるグランド領域には、前記基板の表面あるいは内部にグランド導電パターンが設けられ、前記第１アンテナ素子と前記第２アンテナ素子とは、前記基板の厚さ方向に沿って見たときに、前記グランド領域と重ならない位置に、それぞれ配置されている、アンテナ装置。
【００２０】
この構成によれば、各アンテナ素子を利用した無線通信が、グランド導電パターンによって遮られることを抑制できる。
【００２１】
［適用例８］適用例１ないし適用例７のいずれかに記載のアンテナ装置であって、さらに、誘電体または磁性体で構成された第１素子基材と、誘電体または磁性体で構成された第２素子基材と、を含み、前記第１アンテナ素子の少なくとも一部は前記第１素子基材の表面または内部に設けられ、前記第２アンテナ素子の少なくとも一部は前記第２素子基材の表面または内部に設けられている、アンテナ装置。
【００２２】
この構成によれば、各アンテナ素子を小型化することができる。
【００２３】
［適用例９］適用例１ないし適用例８のいずれかに記載のアンテナ装置であって、前記第１アンテナ素子と前記第２アンテナ素子とのそれぞれは、前記グランド電極による共振によって複共振アンテナとして動作する、アンテナ装置。
【００２４】
この構成によれば、周波数帯域を大幅に拡張することができる。
【００２５】
なお、本発明は、種々の形態で実現することが可能であり、例えば、アンテナ装置、そのアンテナ装置とそのアンテナ装置に接続された信号処理回路とを備える無線通信モジュール、その無線通信モジュールを備える無線通信機器、等の形態で実現することができる。
【発明を実施するための最良の形態】
【００２６】
次に、この発明の実施の形態を実施例に基づいて以下の順序で説明する。
Ａ．第１実施例：
Ｂ．第２実施例：
Ｃ．第３実施例：
Ｄ．変形例：
【００２７】
Ａ．第１実施例：
Ａ１．装置構成：
図１、図２は、本発明の一実施例としてのアンテナ装置１０の説明図である。図１はアンテナ装置１０の斜視図であり、図２は、アンテナ装置１０の上面図である。このアンテナ装置１０は、平板形状の誘電体基板９００と、その基板９００の上面に固定された２つのチップアンテナ１００、２００と、を備えている。このアンテナ装置１０は、図示しないケース内に収納され、無線通信機器を構成する。この無線通信機器は、ＷｉＭＡＸの規格に従って、図示しない他の無線通信機器との間でデータ通信を行う。このデータ通信には、２．５ＧＨｚ帯（２．３〜２．６９ＧＨｚ）と３．５ＧＨｚ帯（３．３〜３．９ＧＨｚ）とが利用される。なお、後述するように、２つのアンテナ１００、２００は、ほぼ同じ周波数帯で、良好な特性を示す。このアンテナ装置１０は、いわゆるダイバシティアンテナとして利用される。
【００２８】
誘電体基板９００としては、矩形の基板を加工したものが利用されている。ｘ方向は、この矩形の短辺と平行な方向を示し、ｙ方向は矩形の長辺と平行な方向を示している。本実施例では、短辺の長さＷ９は、５４ｍｍであり、長辺の長さＨ９は、１００ｍｍである。また、図中のｚ方向は、誘電体基板９００の厚さ方向を示している。誘電体基板９００の上面は＋ｚ側の表面である。
【００２９】
本実施例の誘電体基板９００に関しては、図２における右下の隅が切り落とされている。この切り欠きＣＣは、アンテナ装置１０を無線通信機器に組み込む時に基板９００が他の部品と接触することを避けるためのものである。本実施例では、この切り欠きＣＣは、３０ｍｍ四方の矩形である。なお、図１では、基板９００の−ｙ側の端部の図示が省略されている。
【００３０】
誘電体基板９００の上面には、グランド導電パターン４００が形成されている。このグランド導電パターン４００は、基板９００を横切る仮想的な直線Ｌｎｇによって区切られる２つの領域の内の一方の領域（−ｙ側の領域）を占めている。本実施例では、この直線Ｌｎｇは、ｘ方向と平行である。また、誘電体基板９００の＋ｙ側の端から直線Ｌｎｇまでの距離Ｄｇは２０ｍｍである。以下、誘電体基板９００におけるグランド導電パターン４００が形成された領域を「グランド領域ＧＡ」とも呼ぶ。このグランド領域ＧＡには、フィルタ、アンプ、ミキサ等の電子部品を利用した信号処理回路ＳＣが実装される。すなわち、グランド領域ＧＡは、信号処理回路の実装用領域として利用される。なお、グランド導電パターン４００は、誘電体基板９００の表面の代わりに、誘電体基板９００の内部に形成されてもよい。また、アンテナ装置１０と信号処理回路ＳＣとの全体は、無線通信モジュールとして利用される。
【００３１】
誘電体基板９００の上面の＋ｙ側には、矩形状のグランド導体部３００が形成されている。このグランド導体部３００は、グランド導電パターン４００の直線Ｌｎｇに沿った輪郭ＯＬ１の途中から＋ｙ側に突出し、そして、誘電体基板９００の＋ｙ側の端部まで延びている。すなわち、グランド導体部３００は、＋ｙ方向に延びて開放端ｅ３に至る。以下、この開放端へ向かう方向（＋ｙ方向）のことを、「グランド伸長方向」あるいは単に「伸長方向」とも呼ぶ。
【００３２】
伸長方向（＋ｙ方向）のグランド導体部３００の長さＤｇは２０ｍｍである。また、このグランド導体部３００の幅Ｗ３（ｘ方向）は１１ｍｍである。図中に示す中心線ＣＬは、グランド導体部３００の伸長方向（＋ｙ方向）に平行な中心線を示している。本実施例では、この中心線ＣＬは、誘電体基板９００のｙ方向に平行な中心線と一致している。
【００３３】
グランド導体部３００とグランド導電パターン４００とは、銅や銀等の導電体の薄膜で形成されている。なお、図１、図２では、グランド導体部３００とグランド導電パターン４００とに異なる種類のハッチングが付されているが、これらは、同一材料で連続した領域として形成されている。
【００３４】
また、誘電体基板９００の上面の＋ｙ側には、固定パッド７８０、８８０と、給電パッド７９０、８９０とが形成されている。グランド導体部３００の−ｘ側に形成されたパッド７８０、７９０には、第１アンテナ１００の側面に設けられた端子１８０が、固定される。同様に、グランド導体部３００の＋ｘ側に形成されたパッド８８０、８９０には、第２アンテナ２００の側面に設けられた端子２８０が、固定される。固定には、ハンダ付けや銀ロウ付け等の、導電性の固定方法が利用される。誘電体基板９００の厚さ方向（ｚ方向）に沿って見た場合には、２つのアンテナ１００、２００は、グランド導体部３００を挟んで、対向する。そして、各パッド７８０、７９０、８８０、８９０は、各端子１８０、２８０と重なる位置に配置されている。なお、これらのパッド７８０、７９０、８８０、８９０も、グランド導電パターン４００と同様に、導電体の薄膜で形成されている。このようなパッドは「ランド」とも呼ばれている。
【００３５】
第１給電パッド７９０は、輪郭ＯＬ１の近傍に設けられている。この第１給電パッド７９０には、第１給電ライン５１０が接続されている。また、第２給電パッド８９０も、輪郭ＯＬ１の近傍に設けられている。この第２給電パッド８９０には、第２給電ライン５２０が接続されている。これらの給電ライン５１０、５２０によって、アンテナ１００、２００と信号処理回路ＳＣとが接続される。給電ライン５１０、５２０としては、同軸ケーブルやマイクロストリップライン等の種々の給電ラインを採用可能である。
【００３６】
図３は、第２アンテナ２００の分解斜視図である。図中のｘ、ｙ、ｚ方向は、第２アンテナ２００を誘電体基板９００（図１）に固定した状態におけるｘ、ｙ、ｚ方向（図１、図２）を、それぞれ示している。
【００３７】
図３に示すように、第２アンテナ２００は、第１誘電層２２１とアンテナ導体部２１０と第２誘電層２２２とがｚ方向に沿ってこの順番に積層された構造を有している。各誘電層２２１、２２２は、ホウケイ酸ガラス系セラミックの矩形シートであり、長辺の長さＬｈは８．０ｍｍであり、短辺の長さＬｗは４．０ｍｍである。アンテナ導体部２１０は、銀や銅等の導電体の薄膜である。また、これらの３つの層２２１、２１０、２２２を積層した第２アンテナ２００の厚さは０．８ｍｍである。また、誘電層２２１、２２２の比誘電率εｒは、本実施例では７．５である。なお、比誘電率は、望ましい周波数帯域に適合するように、実験的に決定すればよい。
【００３８】
このような積層アンテナの製造方法としては、種々の方法を採用可能である。例えば、最初に、セラミックグリーンシートの表面に、導電材料を用いたスクリーン印刷によって、アンテナ導体部２１０の導電パターンを形成する。次に、導電パターンが形成された表面の上に、別のセラミックグリーンシートを積層することによって、３層の積層体を形成する。次に、この積層体の焼成によって、第２アンテナ２００を形成する。なお、セラミックグリーンシートとしては、種々のシートを採用可能である。例えば、ホウケイ酸ガラスとアルミナとアクリル樹脂とを含むスラリーからドクターブレード法によって形成されたシートを採用可能である。また、導電材料としては、種々の材料を採用可能である。例えば、銀や金等の導電体とアクリル樹脂とを含む混合物を採用可能である。
【００３９】
図４は、アンテナ導体部２１０の上面図である。図中のｘ、ｙ、ｚ方向は、第２アンテナ２００を誘電体基板９００（図１）に固定した状態におけるｘ、ｙ、ｚ方向（図１、図２）を、それぞれ示している。
【００４０】
図４には、アンテナ導体部２１０のパターン形状が示されている。このパターン形状は、誘電層２２１、２２２よりも一回り小さい矩形ＲＡに、Ｖ字形の切込２１６と矩形の開口２１８とを設けて得られる形状と、ほぼ同じである。本実施例では、この仮想的な矩形ＲＡは、誘電層２２１、２２２の四辺のそれぞれを０．１５ｍｍだけ内側に移動させて得られる矩形と同じである。また、図中の４つの矢印Ｓ１〜Ｓ４は、この矩形ＲＡの４つの辺をそれぞれ示している。各矢印は、辺に沿った方向を示している。例えば、辺Ｓ１は、ｙ方向に平行な−ｘ側の辺を示している。
【００４１】
また、このパターン形状（矩形ＲＡ）の−ｘ側の辺Ｓ１には、３つの突出部Ｐ１〜Ｐ３が設けられている。また、＋ｘ側の辺Ｓ２には、３つの突出部Ｐ４〜Ｐ６が設けられている。これら６つの突出部Ｐ１〜Ｐ６のそれぞれは、第２アンテナ２００の側面に設けられた端子２８０（図１）に電気的に接続される。このように、第２アンテナ２００の−ｘ側の側面と＋ｘ側の側面とのそれぞれには、−ｙ側の端部と中央部と＋ｙ側の端部とに、端子２８０が設けられる。このような側面の６つの端子２８０は、いわゆるキャスタレーションによって形成可能である。
【００４２】
また、アンテナ導体部２１０は、大きく３つの導体部２１１、２１２、２１３に分けられる。図４では、各導体部２１１、２１２、２１３は、互いに異なる種類のハッチングによって示されている。ただし、各導体部２１１、２１２、２１３は、同一材料で連続した領域として形成されている。
【００４３】
第１導体部２１１は、図４における左下のコーナーｃｎ１を形成するＬ字形の線状導体部である。第１導体部２１１は、第１突出部Ｐ１と直線導体部２１１Ｌとを有している。第１突出部Ｐ１は、コーナーｃｎ１からｙ方向と平行に延びる直線状の導体部である。この第１突出部Ｐ１は、図１の第２アンテナ２００の裏側に隠れている端子２８０を介して第２給電パッド８９０（図２）に接続される。一方、直線導体部２１１Ｌは、コーナーｃｎ１から他端２１１ｅまでｘ方向と平行に延びている。この端２１１ｅは、アンテナ導体部２１０の−ｙ側の辺Ｓ４の途中に位置している。この直線導体部２１１Ｌの長さを調整することによって、第２アンテナ２００の共振周波数とインピーダンスとを調整することができる。すなわち、直線導体部２１１Ｌは、特許請求の範囲における「整合素子」に相当する。
【００４４】
第２導体部２１２は、第１導体部２１１の端２１１ｅに接続されるとともに、この端２１１ｅから遠いほど幅が広くなる平板導体部である。具体的には、この第２導体部２１２は、端２１１ｅを通る２本のラインＴＬ１、ＴＬ２によって形成される略三角形の導体部である。第１ラインＴＬ１は、端２１１ｅから、アンテナ導体部２１０の−ｘ側の辺Ｓ１の途中位置ＭＰまで延びるラインである。第２ラインＴＬ２は、第１導体部２１１の端２１１ｅから、アンテナ導体部２１０の右下のコーナーｃｎ２まで延びるラインである。なお、この第２導体部２１２は、特許請求の範囲における「拡張平板部」に相当する。
【００４５】
このように端２１１ｅから徐々に幅が広くなる第２導体部２１２を設ける理由は、第２アンテナ２００の周波数帯域を拡張するためである。給電側から開放端側に向かって幅が広がる第２導体部２１２を利用することによって、電流は、長さの異なる複数の通り道を流れることが可能である。換言すれば、アンテナ導体部２１０の見かけ上の長さは、互いに異なる複数の長さを含む、と言うこともできる。この結果、アンテナ導体部２１０（第２アンテナ２００）の周波数帯域を拡張することができる。ここで、導体部の幅の変化が大きいほど、周波数帯域も広くなる傾向にある。ただし、幅の変化が大きいほど、アンテナの大きさが大きくなる傾向にある。そこで、望ましい周波数帯域と望ましいアンテナの大きさとを考慮して、第２導体部２１２（拡張平板部）の形状を実験的に決定することが好ましい。
【００４６】
なお、切込２１６は、第１ラインＴＬ１と第１導体部２１１とによって囲まれている。換言すれば、図４の実施例では、矩形ＲＡに切込２１６を設けるだけで、整合素子（第１導体部２１１）と第２導体部２１２との両方が形成される。
【００４７】
第３導体部２１３は、アンテナ導体部２１０の残りの部分である。この第３導体部２１３は、第２導体部２１２の＋ｙ側に位置する略台形の導体部である。この第３導体部２１３の端部（例えば、＋ｙ側の端部）は、アンテナ導体部２１０の開放端として機能する。この第３導体部２１３の内には、開口２１８が設けられている。開口２１８を設けることによって、第１誘電層２２１（図３）が第２誘電層２２２と接する領域の面積が増大する。その結果、第１誘電層２２１が第２誘電層２２２から剥がれることが抑制される。
【００４８】
以上、第２アンテナ２００について説明したが、第１アンテナ１００（図１、図２）の構成も、第２アンテナ２００の構成と同様である。具体的には、図２に示すように誘電体基板９００に固定された状態において、第１アンテナ１００の形状は、第２アンテナ２００を左右に裏返した形状と、ほぼ同じである。具体的には、第１アンテナ１００と第２アンテナ２００とは、グランド導体部３００の中心線ＣＬを通り誘電体基板９００に垂直な平面を基準とする鏡面対称である。このように、第１アンテナ１００とグランド導体部３００と第２アンテナ２００とは、直線Ｌｎｇに沿って並んで配置されている。
【００４９】
また、図２に示すように、各アンテナ１００、２００の長辺は、ｙ方向と平行である。すなわち、各アンテナ１００、２００は、ｙ方向と平行に延びている。換言すれば、各アンテナ１００、２００と、グランド導体部３００とは、互いに平行に延びている。ここで、各アンテナ１００、２００と、グランド導体部３００との間の距離Ｄａ１は、１５．５ｍｍである。また、グランド導電パターン４００の輪郭ＯＬ１（直線Ｌｎｇ）から各アンテナ１００、２００の＋ｙ側の端部までの第２長さＤａ２は、１０ｍｍである。
【００５０】
図５（Ａ）、５（Ｂ）は、アンテナ装置の比較例と第１実施例との上面図である。図５（Ａ）に示す比較例のアンテナ装置Ｃ１０は、図１〜図４で説明したアンテナ装置１０から、グランド導体部３００を削除したものである。他の構成は、アンテナ装置１０と同じである。図５（Ｂ）に示す第１実施例のアンテナ装置１０は、図１〜図４で説明したアンテナ装置１０と同じである。
【００５１】
図中の点Ｆ１、Ｆ２は、アンテナ１００、２００の給電点を、それぞれ示している。各アンテナ装置Ｃ１０、１０では、各給電パッド７９０、８９０は、グランド導電パターン４００の外から中まで延びている（直線Ｌｎｇを挟んで＋ｙ側から−ｙ側まで）。グランド導電パターン４００には、各給電パッド７９０、８９０を囲む窪みが形成されている。各給電パッド７９０、８９０の直線Ｌｎｇよりも−ｙ側の部分は、グランド導電パターン４００に囲まれているので、アンテナ素子としては機能しない。一方、各給電パッド７９０、８９０の直線Ｌｎｇよりも＋ｙ側の部分は、アンテナ素子として機能する。換言すれば、直線Ｌｎｇよりも−ｙ側の部分によるアンテナの特性に対する影響は小さいが、直線Ｌｎｇよりも＋ｙ側の部分によるアンテナの特性に対する影響は大きい。これらにより、図５（Ａ）、５（Ｂ）の各アンテナ装置Ｃ１０、１０では、各給電パッド７９０、８９０の直線Ｌｎｇと交差する位置が、給電点となる。
【００５２】
また、各アンテナ装置Ｃ１０、１０においては、固定パッド７８０、８８０は、アンテナ１００、２００のアンテナ導体部（図４：アンテナ導体部２１０）と電気的に接続されている。従って、これらの固定パッド７８０、８８０も、アンテナ素子として機能する。
【００５３】
以下、第１アンテナ１００の導体部と導通する導体部の内の、アンテナ素子として機能する部分の全体を、第１アンテナ素子１００ｅと呼ぶ。この第１アンテナ素子１００ｅは、第１給電パッド７９０の給電点Ｆ１よりも＋ｙ側の部分と、固定パッド７８０と、第１アンテナ１００の導体部と、の全体を示している。第１アンテナ１００の導体部は、端子１８０と、図示しないアンテナ導体部（図４のアンテナ導体部２１０に相当する導体部）と、を含んでいる。
【００５４】
同様に、第２アンテナ２００の導体部と導通する導体部の内の、アンテナ素子として機能する部分の全体を、第２アンテナ素子２００ｅと呼ぶ。この第２アンテナ素子２００ｅは、第２給電パッド８９０の給電点Ｆ２よりも＋ｙ側の部分と、固定パッド８８０と、第２アンテナ２００の導体部と、の全体を示している。第２アンテナ２００の導体部は、端子２８０とアンテナ導体部２１０とを含んでいる。
【００５５】
なお、第２アンテナ素子２００ｅに関しては、第２給電パッド８９０の給電点Ｆ２よりも＋ｙ側の部分と、第２給電パッド８９０（図２）に接続された端子２８０と、第１突出部Ｐ１（図４）と、の全体が、特許請求の範囲における「給電部」に相当する。第１アンテナ素子１００ｅの給電部についても、同様である。このように、各アンテナ素子１００ｅ、２００ｅの−ｙ側の端部は給電部として機能する。一方、各アンテナ素子１００ｅ、２００ｅの＋ｙ側の端部は開放端として機能する（アンテナ導体部２１０の＋ｙ側の端部、＋ｙ側のパッド７８０、８８０）。
【００５６】
Ａ２．反射特性：
図６（Ａ）は、第１アンテナ素子１００ｅの反射特性を示すグラフであり、図６（Ｂ）は、第２アンテナ素子２００ｅの反射特性を示すグラフである。横軸は周波数ｆｒｅｑ（ＧＨｚ）を示し、縦軸はＶＳＷＲ（電圧定在波比）を示している。比較グラフＶ１Ｃ、Ｖ２Ｃは、比較例のアンテナ装置Ｃ１０（図５（Ａ））での特性を示している。第１グラフＶ１１、Ｖ２１は、第１実施例のアンテナ装置１０（図５（Ｂ））での特性を示している。
【００５７】
比較グラフＶ１Ｃ、Ｖ２Ｃが示すように、比較例のアンテナ装置Ｃ１０では、各アンテナ素子１００ｅ、２００ｅは、３．５ＧＨｚ周辺において良好な反射特性を示している。これは、グランド導体部３００を利用せずに得られる特性である（図５（Ａ））。このように、各アンテナ素子１００ｅ、２００ｅ（アンテナ１００、２００）の形状は、３．５ＧＨｚ帯で良好な反射特性を示すように、予め決定されている。
【００５８】
第１グラフＶ１１、Ｖ２１が示すように、第１実施例のアンテナ装置１０では、各アンテナ素子１００ｅ、２００ｅは、３．５ＧＨｚ周辺に加えて２．５ＧＨｚ周辺においても、良好な反射特性を示している（特に、２．５ＧＨｚ帯の内の高い範囲）。これは、グランド導体部３００を追加することによって得られる特性である（図５（Ｂ））。
【００５９】
ここで、「ＶＳＷＲ＜２．０」を満たす周波数帯域を比較する。
＜第１アンテナ素子１００ｅ＞
比較例（Ｖ１Ｃ）：２．９２ＧＨｚ−３．８９ＧＨｚ：幅０．９７ＧＨｚ：
第１実施例（Ｖ１１）：２．４７ＧＨｚ−４．３３ＧＨｚ：幅１．８６ＧＨｚ：
＜第２アンテナ素子２００ｅ＞
比較例（Ｖ２Ｃ）：２．９９ＧＨｚ−３．９０ＧＨｚ：幅０．９１ＧＨｚ：
第１実施例（Ｖ２１）：２．５４ＧＨｚ−４．２６ＧＨｚ：幅１．７２ＧＨｚ：
【００６０】
このように、グランド導体部３００を設けるだけで周波数帯域を１．７倍以上に広げることができる。このような周波数帯域の拡張は、アンテナ素子１００ｅ、２００ｅとグランド電極（グランド導体部３００）との間の電磁的な相互採用に起因する。特に、このように大幅に周波数帯域を拡張可能な理由は、アンテナ素子１００ｅ、２００ｅが、グランド導体部３００による共振によって複共振アンテナとして動作しているからであると推定される。逆に、アンテナ素子の形状を変えずにグランド導体部を設けるだけで「ＶＳＷＲ＜２．０」を満たす周波数帯域が１．７倍以上に広がる場合には、アンテナ装置が、そのグランド導体部による共振によって複共振アンテナとして動作していると推定可能である。
【００６１】
なお、「ＶＳＷＲ＜２．０」を満たす周波数帯域は、反射特性が特に良好な帯域を示しているので、このような周波数帯域を利用して通信を行うことが好ましい。ただし、ＶＳＷＲが２よりも大きくてもよい。一般には、ＶＳＷＲが３．０より小さいことが好ましく、ＶＳＷＲが２．５より小さいことが特に好ましく、ＶＳＷＲが２．０より小さいことが最も好ましい。
【００６２】
Ａ３．アイソレーション特性：
図７は、アイソレーション特性を示すグラフである。横軸は周波数ｆｒｅｑ（ＧＨｚ）を示し、縦軸はＳ２１（ｄＢ）を示している。ここで、Ｓ２１は、いわゆるＳ（ｓｃａｔｔｅｒｉｎｇ）パラメータを示している。図７の例では、Ｓ２１は、第１給電ライン５１０からの入射波が、第２給電ライン５２０へ透過する度合いを示している。このＳ２１が小さいほど、第１アンテナ素子１００ｅと第２アンテナ素子２００ｅとの間の干渉が小さい。なお、比較グラフＳｉＣは、比較例のアンテナ装置Ｃ１０（図５（Ａ））での特性を示している。第１グラフＳｉ１は、第１実施例のアンテナ装置１０（図５（Ｂ））での特性を示している。
【００６３】
比較グラフＳｉＣと第１グラフＳｉ１とが示すように、グランド導体部３００を設けることによって、アイソレーション特性が大幅に改善されている。この理由は、２つのアンテナ素子１００ｅ、２００ｅの間のグランド導体部３００によって、２つのアンテナ素子１００ｅ、２００ｅの間の電磁的な相互作用が抑制されるからであると推定される。
【００６４】
次に、第１アンテナ素子１００ｅと第２アンテナ素子２００ｅとの間の電磁的な相互作用を抑制するための、アンテナ素子１００ｅ、２００ｅとグランド導体部３００との位置関係について説明する。図８は、アンテナ素子１００ｅ、２００ｅと、グランド導体部３００との位置関係を示す説明図である。この位置関係は、誘電体基板９００の厚さ方向（ｚ方向）に沿って見た位置関係を示している。
【００６５】
図中の開始点ＳＰは、給電点Ｆ１を、グランド導体部３００の中心線ＣＬに垂直に投影して得られる点である。この開始点ＳＰは、給電点Ｆ２を中心線ＣＬに垂直に投影して得られる点でもある。これらの給電点Ｆ１、Ｆ２と開始点ＳＰとは、共通の直線Ｌｎｇ上の点である。そして、第１アンテナ素子１００ｅは、給電点Ｆ１から＋ｙ側に向かって延びており、グランド導体部３００は、開始点ＳＰから＋ｙ側に向かって延びており、第２アンテナ素子２００ｅは、給電点Ｆ２から＋ｙ側に向かって延びている。このように、３つ導体部１００ｅ、２００ｅ、３００は、それぞれ、同じ方向（＋ｙ方向）に向かって延びている。
【００６６】
図中の第２長さＤａ２は、各アンテナ素子１００ｅ、２００ｅのｙ方向の長さを示している。また、グランド長さＤｇは、グランド導体部３００の開始点ＳＰから先端（開放端ｅ３）までの長さを示している。ここで、グランド長さＤｇは、２つのアンテナ素子１００ｅ、２００ｅのそれぞれの長さ（この実施例では同じ第２長さＤａ２）よりも長い。これらの結果、第１アンテナ素子１００ｅから見たときに、第２アンテナ素子２００ｅの全体が、グランド導体部３００の後ろに隠れる。同様に、第２アンテナ素子２００ｅから見たときに、第１アンテナ素子１００ｅの全体が、グランド導体部３００の後ろに隠れる。これらの結果、第１アンテナ素子１００ｅと第２アンテナ素子２００ｅとの間の電磁的な相互作用が、グランド導体部３００によって強力に抑制される。
【００６７】
一般には、第１アンテナ素子とグランド電極と第２アンテナ素子との位置関係が、以下のように設定されることが好ましい。図９は、第１アンテナ素子Ａ１０とグランド電極ＧＥと第２アンテナ素子Ａ２０との位置関係の概略を示している。図９は、これらの導体部Ａ１０、Ａ２０、ＧＥが設けられた誘電体基板９００の厚さ方向（ｚ方向）に沿って見た位置関係を示している。グランド電極ＧＥは、グランド導体部３００と同様に、＋ｙ方向に延びて開放端ｅｇに至る直線形状の導体部である。２重線で示された第１写像Ｍ１０は、第１アンテナ素子Ａ１０をグランド電極ＧＥの延びる方向（＋ｙ方向）と垂直な方向（ｘ方向）と平行にグランド電極ＧＥに向けて投影して得られる写像を示している。２重線で示された第２写像Ｍ２０は、第２アンテナ素子Ａ２０を同様にグランド電極ＧＥに向けて投影して得られる写像を示している。
【００６８】
図示するように、第１写像Ｍ１０の全体が、グランド電極ＧＥと重なっている。同様に、第２写像Ｍ２０の全体が、グランド電極ＧＥと重なっている。これらの結果、第１アンテナ素子Ａ１０から見たときに、第２アンテナ素子Ａ２０の全体が、グランド電極ＧＥの後ろに隠れる。そして、第２アンテナ素子Ａ２０から見たときに、第１アンテナ素子Ａ１０の全体が、グランド電極ＧＥの後ろに隠れる。これらの結果、第１アンテナ素子Ａ１０と第２アンテナ素子Ａ２０との間の電磁的な相互作用が、グランド電極ＧＥによって強力に抑制される。
【００６９】
なお、図８に示すアンテナ装置１０においても、アンテナ素子１００ｅ、２００ｅとグランド導体部３００との位置関係は、図９の例と同様に、設定されている。２重線で示された第１写像Ｍ１は、第１アンテナ素子１００ｅをｘ方向と平行にグランド導体部３００に向けて投影して得られる写像を示している。２重線で示された第２写像Ｍ２は、第２アンテナ素子２００ｅをｘ方向と平行にグランド導体部３００に向けて投影して得られる写像を示している。そして、第１写像Ｍ１の全体は、グランド導体部３００と重なっている。また、第２写像Ｍ２の全体も、グランド導体部３００と重なっている。
【００７０】
Ｂ．第２実施例：
Ｂ１．装置構成：
図１０は、第２実施例のアンテナ装置２０の上面図である。図５（Ｂ）に示すアンテナ装置１０との差違は、第１突出部３１０と第２突出部３２０とが追加されている点だけである。他の構成は、アンテナ装置１０と同じである。
【００７１】
第１突出部３１０は、グランド導体部３００の先端（＋ｙ側の端）から第１アンテナ１００側に突出している。また、第２突出部３２０は、グランド導体部３００の先端から第２アンテナ２００側に突出している。本実施例では、これらの突出部３１０、３２０は、いずれも、ｘ方向と平行に延びる直線状の導体部である。これらの導体部３１０、３２０の幅Ｗｐは、２．０ｍｍである。また、第１突出部３１０の長さＬｐ１は、９．５ｍｍであり、第２突出部３２０の長さＬｐ２は、８．５ｍｍである。
【００７２】
なお、図１０では、３つの導体部３００、３１０、３２０に異なる種類のハッチングが付されているが、これらは、同一の材料で連続した領域として形成されている。また、アンテナ装置２０では、これら３つの導体部３００、３１０、３２０の全体が、特許請求の範囲における「グランド電極」に相当する。すなわち、アンテナ装置２０では、Ｔ字形のグランド電極が利用されている。
【００７３】
Ｂ２．反射特性：
図１１（Ａ）は、第１アンテナ素子１００ｅの反射特性を示すグラフであり、図１１（Ｂ）は、第２アンテナ素子２００ｅの反射特性を示すグラフである。これらのグラフは、図６（Ａ）、６（Ｂ）のグラフに、第２実施例のアンテナ装置２０の特性を示す第２グラフＶ１２、Ｖ２２を追加したものである。
【００７４】
第２グラフＶ１２、Ｖ２２が示すように、第２実施例のアンテナ装置２０では、第１実施例のアンテナ装置１０と比べて、アンテナ素子１００ｅ、２００ｅのそれぞれは、２．５ＧＨｚ帯の内の低い範囲においても、良好な反射特性を示している。この理由は、突出部３１０、３２０を追加することによって、グランド電極の長さが長くなったからだと推定される。
【００７５】
また、アンテナ装置１０、２０（図５（Ｂ）、１０）において、「ＶＳＷＲ＜２．０」を満たす周波数帯域は以下の通りである。
＜第１アンテナ素子１００ｅ＞
第１実施例（Ｖ１１）：２．４７ＧＨｚ−４．３３ＧＨｚ：幅１．８６ＧＨｚ：
第２実施例（Ｖ１２）：２．２２ＧＨｚ−４．４１ＧＨｚ：幅２．１９ＧＨｚ：
＜第２アンテナ素子２００ｅ＞
第１実施例（Ｖ２１）：２．５４ＧＨｚ−４．２６ＧＨｚ：幅１．７２ＧＨｚ：
第２実施例（Ｖ２２）：２．２８ＧＨｚ−４．３０ＧＨｚ：幅２．０２ＧＨｚ：
【００７６】
このように、突出部３１０、３２０を設けるだけで周波数帯域をさらに拡張できる。また、これらの突出部３１０、３２０は、グランド伸長方向（＋ｙ方向）とは垂直な方向（ｘ方向）と平行に延びる導体部である（図１０）。その結果、第２実施例のアンテナ装置２０は、その大きさが第１実施例のアンテナ装置１０とほぼ同じであるにも拘わらずに、より広い周波数帯域に対応可能である。
【００７７】
ここで、第１突出部３１０の長さを調整することによって、第１アンテナ素子１００ｅの周波数帯域を調整することができる。また、第２突出部３２０の長さを調整することによって、第２アンテナ素子２００ｅの周波数帯域を調整することができる。第１突出部３１０が第２アンテナ素子２００ｅの周波数帯域に与える影響と、第２突出部３２０が第１アンテナ素子１００ｅの周波数帯域に与える影響とは、２つのアンテナ素子１００ｅ、２００ｅの間を仕切るグランド導体部３００によって抑制される。従って、２つの突出部３１０、３２０の長さを独立に調整可能である。
【００７８】
Ｂ３．アイソレーション特性：
図１２は、アイソレーション特性を示すグラフである。このグラフは、図７のグラフに、第２実施例のアンテナ装置２０の特性を示す第２グラフＳｉ２を追加したものである。
【００７９】
第２グラフＳｉ２が示すように、突出部３１０、３２０を設けることによって、さらに、アイソレーション特性を大幅に改善することができる。この理由は、２つのアンテナ素子１００ｅ、２００ｅの間のグランド電極の面積が増大することによって、２つのアンテナ素子１００ｅ、２００ｅの間の電磁的な相互作用が、さらに抑制されるからであると推定される。
【００８０】
Ｃ．第３実施例：
図１３は、第３実施例のアンテナ装置３０の上面図である。図１０に示す第２実施例のアンテナ装置２０との差違は、第１突出部３１０の長さＬｐ１と第２突出部３２０の長さＬｐ２とが、同じ値Ｌｐに設定されている点だけである。他の構成は、図１０に示す第２実施例のアンテナ装置２０の構成と、同じである。以下、このアンテナ装置３０を用いて、突出部の長さと反射特性との関係を検討する。
【００８１】
図中の最大長さＬｍａｘは、各突出部３１０、３２０の最大長を示している（本実施例では、２１．５ｍｍ）。この最大長さＬｍａｘは、各突出部３１０、３２０を誘電体基板９００の端まで延ばすことによって得られる長さである。また、第３長さＤａ３は、各アンテナ素子１００ｅ、２００ｅとグランド導体部３００との間の距離を示している（本実施例では、１４．５ｍｍ）。本実施例では、誘電体基板９００の厚さ方向（ｚ方向）に沿って見たときに、固定パッド７８０、７９０、８８０、８９０が、アンテナ１００、２００の外側に１ｍｍはみ出ている。具体的には、アンテナ１００、２００の＋ｘ側のパッド７８０、７９０、８８０は、＋ｘ方向にはみ出しており、−ｘ側のパッド７８０、８８０、８９０は、−ｘ側にはみ出している。従って、この第３長さＤａ３は、第１長さＤａ１よりも１ｍｍ短い。
【００８２】
図１４（Ａ）、１４（Ｂ）は、反射特性に対する突出部３１０、３２０の長さＬｐの影響を示すグラフである。横軸は周波数ｆｒｅｑ（ＧＨｚ）を示し、縦軸はＶＳＷＲを示している。図１４（Ａ）は、第１アンテナ素子１００ｅのＶＳＷＲを示し、図１４（Ｂ）は、第２アンテナ素子２００ｅのＶＳＷＲを示している。これらのＶＳＷＲは、シミュレーションによる計算値を示している。このシミュレーションは、図１３に示すアンテナ装置３０の構成に基づいて行われている。
【００８３】
図１４（Ａ）には、互いに異なる長さＬｐに関する８つのグラフＶ１ａ〜Ｖ１ｈが示されている。長さＬｐとしては、７．５ｍｍから２１．５ｍｍまで２．０ｍｍ間隔で準備された８つの値が利用されている。図１４（Ａ）の右側には、グラフと長さＬｐとの対応関係が示されている。図示するように、８つのグラフＶ１ａ〜Ｖ１ｈは、８つの長さ７．５ｍｍ〜２１．５ｍｍに、それぞれ対応している。
【００８４】
図１４（Ａ）に示すように、３．５ＧＨｚ帯では、長さＬｐの変化に起因するＶＳＷＲの大きな変化はみられない。また、長さＬｐに拘わらず、ＶＳＷＲは、ほぼ３．０以下である。一方、２．５ＧＨｚ帯では、長さＬｐが長いほどＶＳＷＲが大きくなる傾向にある。特に、長さＬｐが１５．５ｍｍを超えると、ＶＳＷＲが急激に大きくなる（グラフＶ１ｆ、Ｖ１ｇ、Ｖ１ｈ）。そして、長さＬｐが２１．５ｍｍの場合には、ＶＳＷＲが３．０よりも大きくなっている（グラフＶ１ｈ）。
【００８５】
図１４（Ｂ）にも、図１４（Ａ）と同様に、８つのグラフＶ２ａ〜Ｖ２ｈが示されている。図１４（Ｂ）の右側には、グラフと長さＬｐとの対応関係が示されている。利用される８つの長さＬｐは、図１４（Ａ）と同じである。８つのグラフＶ１ａ〜Ｖ１ｈは、８つの長さ７．５ｍｍ〜２１．５ｍｍに、それぞれ対応している。
【００８６】
図１４（Ｂ）に示すように、３．５ＧＨｚ帯では、長さＬｐの変化に起因するＶＳＷＲの大きな変化は見られない。また、長さＬｐに拘わらず、ＶＳＷＲは、ほぼ２．２以下である。一方、２．５ＧＨｚ帯では、長さＬｐが長いほどＶＳＷＲが大きくなる傾向にある。特に、長さＬｐが１５．５ｍｍを超えると、ＶＳＷＲが急激に大きくなる（グラフＶ２ｆ、Ｖ２ｇ、Ｖ２ｈ）。そして、長さＬｐが、１７．５ｍｍ以上の場合には、ＶＳＷＲが３．０よりも大きくなっている（グラフＶ２ｆ、Ｖ２ｇ、Ｖ２ｈ）。
【００８７】
ここで、長さＬｐと、突出部とアンテナ素子との間の相対位置と、の関係について説明する。この相対位置は、誘電体基板９００の厚さ方向（ｚ方向）に沿って見た位置を示している。図１３に示す仮想的な直線ＰＬ１、ＰＬ２は、突出部３１０、３２０の先端を通り、グランド伸長方向（＋ｙ方向）と平行な直線を、それぞれ示している。
【００８８】
長さＬｐが第１長さＤａ１（本実施例では１５．５ｍｍ）以下である場合には、第１チップアンテナ１００の全体が、第１直線ＰＬ１よりも外側（−ｘ側）の領域ＯＡ１内に存在する。この第１領域ＯＡ１は、第１直線ＰＬ１によって区切られる２つの領域の内の、グランド導体部３００を含む領域とは異なる他方の領域である。同様に、第２チップアンテナ２００の全体は、第２直線ＰＬ２よりも外側（＋ｘ側）の領域ＯＡ２内に存在する。この第２領域ＯＡ２は、第２直線ＰＬ２によって区切られる２つの領域の内の、グランド導体部３００を含む領域とは異なる他方の領域である。
【００８９】
この場合には、図１４（Ａ）、１４（Ｂ）に示すように、２．５ＧＨｚ帯と３．５ＧＨｚ帯とのそれぞれにおいて、ＶＳＷＲは、ほぼ３．０よりも小さい（グラフＶ１ａ〜Ｖ１ｅ、Ｖ２ａ〜Ｖ２ｅ）。
【００９０】
また、長さＬｐが第３長さＤａ３（本実施例では、１４．５ｍｍ）以下である場合には、第１アンテナ素子１００ｅの全体が、第１領域ＯＡ１内に存在する。同様に、第２アンテナ素子２００ｅの全体が、第２領域ＯＡ２内に存在する。この場合には、長さＬｐが第１長さＤａ１（１５．５ｍｍ）と同じ場合と比べて、２．５ＧＨｚ帯における反射特性が大幅に改善されている（グラフＶ１ａ〜Ｖ１ｄ：Ｖ１ｅ、グラフＶ２ａ〜Ｖ２ｄ：Ｖ２ｅ）。
【００９１】
以上のように、良好な反射特性を得るためには、第１チップアンテナ１００の全体が、第１突出部３１０の先端よりも外側の第１領域ＯＡ１に設けられることが好ましい。そして、パッド７８０、７９０を含む第１アンテナ素子１００ｅの全体が、この第１領域ＯＡ１に設けられることが特に好ましい。同様に、第２チップアンテナ２００の全体が、第２突出部３２０の先端よりも外側の第２領域ＯＡ２に設けられることが好ましい。そして、パッド８８０、８９０を含む第２アンテナ素子２００ｅの全体が、この第２領域ＯＡ２に設けられることが特に好ましい。換言すれば、アンテナ１００、２００（アンテナ素子１００ｅ、２００ｅ）に掛からないように突出部３１０、３２０を形成することが好ましい。より具体的には、グランド伸長方向（＋ｙ方向）と平行に第１突出部３１０を第１アンテナ１００（第１アンテナ素子１００ｅ）に向けて投影して得られる写像が、第１アンテナ１００（第１アンテナ素子１００ｅ）に掛からないように、第１突出部３１０を形成することが好ましい。第２突出部３２０についても同様である。
【００９２】
この理由は、以下のように推定される。図１３に示すアンテナ装置３０では、第１アンテナ素子１００ｅの一方側（＋ｘ側）にグランド導体部３００が設けられているので、第１アンテナ素子１００ｅのその一方側は、グランド導体部３００と電磁的に相互作用する。ここで、第１突出部３１０が、第１アンテナ１００（第１アンテナ素子１００ｅ）に掛かると仮定する。この場合には、第１アンテナ１００（第１アンテナ素子１００ｅ）の他の側（＋ｙ側）が、第１突出部３１０と電磁的に相互作用する。その結果、第１アンテナ１００（第１アンテナ素子１００ｅ）とグランド電極との間の相互作用が過剰に強くなるので、アンテナの特性が低下すると推定される。このような推定は、第２アンテナ２００（第２アンテナ素子２００ｅ）についても同様である。
【００９３】
ここで、さらに詳細に図１４（Ａ）、１４（Ｂ）を検討する。図１４（Ａ）、１４（Ｂ）に示すように、突出部３１０、３２０がチップアンテナ１００、２００に掛からない場合には（すなわち、長さＬｐが１５．５ｍｍ以下の場合には）、長さＬｐに拘わらずにＶＳＷＲの変化は小さい。また、突出部３１０、３２０がチップアンテナ１００、２００に掛からない場合には、アンテナ素子の＋ｙ側が突出部によって覆われていないので（図１３）、長さＬｐに拘わらずにアンテナ素子とグランド電極との間の過剰な相互作用が抑制される。これらを総合すると、突出部３１０、３２０がチップアンテナ１００、２００に掛からない場合には、アンテナ素子とグランド電極との間の相互作用が過剰に強くなることが抑制されるので、長さＬｐに拘わらずにＶＳＷＲが小さい値に維持されると推定される。この効果は、突出部３１０、３２０がアンテナ素子１００ｅ、２００ｅに掛からない場合に（すなわち、長さＬｐが１４．５ｍｍ以下の場合に）、特に顕著である。
【００９４】
一方、突出部３１０、３２０がチップアンテナ１００、２００に掛かる場合には（すなわち、長さＬｐが１５．５ｍｍより長い場合には）、長さＬｐの変化に応じてＶＳＷＲも大きく変化（増大）する。また、突出部３１０、３２０がチップアンテナ１００、２００に掛かる場合には、アンテナ素子の＋ｙ側が突出部によって覆われるので、長さＬｐが長いほどアンテナ素子とグランド電極との間の相互作用が強くなる。これらを総合すると、突出部３１０、３２０がチップアンテナ１００、２００に掛かる場合には、アンテナ素子とグランド電極との間の相互作用が過剰に強くなるので、ＶＳＷＲが大きくなると推定される。
【００９５】
Ｄ．変形例：
なお、上記各実施例における構成要素の中の、独立クレームでクレームされた要素以外の要素は、付加的な要素であり、適宜省略可能である。また、この発明は上記の実施例や実施形態に限られるものではなく、その要旨を逸脱しない範囲において種々の態様において実施することが可能であり、例えば次のような変形も可能である。
【００９６】
変形例１：
上述の各実施例において、２つのアンテナ素子の構成としては、種々のモノポールアンテナの構成を採用可能である。例えば、線状の整合素子が曲がっていても良い。また、誘電体基板９００上の固定パッドが、アンテナ素子から絶縁されていてもよい。また、アンテナ素子が、ミアンダ形状を形成する線状の導体部を含んでも良い。また、アンテナ素子から、線状の整合素子と拡張平板部との少なくとも一方が省略されてもよい。また、第１アンテナ素子と第２アンテナ素子との間で形状が異なっていても良い。また、アンテナ装置が良好な特性を示す周波数帯域としては、２．５ＧＨｚ帯と３．５ＧＨｚ帯に限らず、種々の周波数帯域を採用可能である。
【００９７】
また、上述の各実施例では、アンテナ素子を有する別の部材（チップアンテナ１００、２００）を誘電体基板９００に固定することによって、アンテナ素子１００ｅ、２００ｅが形成されている。この代わりに、アンテナ素子１００ｅ、２００ｅの全体が誘電体基板９００の表面または内部に形成されてもよい。一般には、アンテナ素子が基板に設けられていればよい。ここで、「アンテナ素子が基板に設けられる」とは、以下の３つの構成を含む広い概念を意味している。
（１）アンテナ素子の全体が基板の表面または内部に形成される。
（２）アンテナ素子の一部が基板の表面または内部に形成され、そして、アンテナ素子の残りの一部を有する別部材が基板に固定される。
（３）アンテナ素子の全体を有する別部材が基板に固定される。
【００９８】
変形例２：
上述の各実施例において、グランド電極の形状としては、種々の形状を採用可能である。ただし、図５（Ｂ）、図１０の実施例のように、直線形状（導体部３００）と、Ｔ字形（導体部３００、３１０、３２０）とのいずれか一方を採用することが好ましい。こうすれば、グランド電極の大きさが過剰に大きくなることを抑制できる。
【００９９】
ここで、グランド導体部３００の開放端ｅ３（図８、図１０）が、２つのアンテナ素子のグランド伸長方向側（＋ｙ側）の端ｅ１、ｅ２のそれぞれよりも、グランド伸長方向側に配置されていることが好ましい（グランド伸長方向側の端は、最もグランド伸長方向側に位置する端を示している）。換言すれば、図８、図９に示すように、各アンテナ素子のグランド伸長方向側（＋ｙ側）の端ｅ１、ｅ２、ｅ１０、ｅ２０をグランド電極に向けて投影した時に、その投影点ｅ１ｐ、ｅ２ｐ、ｅ１０ｐ、ｅ２０ｐがグランド導体部３００（グランド電極ＧＥ）と重なることが好ましい（この投影は、グランド伸長方向（＋ｙ方向）と垂直な方向（ｘ方向）と平行に行われる）。こうすれば、グランド導体部３００が過剰に短くなることを抑制できる。その結果、２つのアンテナ素子の間の電磁的な相互作用を抑制できる。
【０１００】
また、上述の各実施例では、グランド電極が誘電体基板９００の表面に形成されているが、グランド電極が誘電体基板９００の内部に形成されてもよい。また、アンテナ素子１００ｅ、２００ｅと同様に、導体部を有する別の部材を誘電体基板９００に固定することによって、グランド電極が形成されてもよい。一般には、グランド電極が基板に設けられていればよい。ここで、「グランド電極が基板に設けられる」とは、「アンテナ素子が基板に設けられる」と同様に、広い概念を意味している。
【０１０１】
変形例３：
図５（Ｂ）、図１０に示す各実施例では、誘電体基板９００の厚さ方向（ｚ方向）に沿って見たときに、アンテナ素子１００ｅ、２００ｅのそれぞれが、グランド導体部３００とほぼ平行に延びているので、アンテナ装置の大きさが過剰に大きくなることを抑制できる。ただし、アンテナ素子がグランド導体部３００に対して傾いていても良い。また、２つのアンテナ素子が互いに傾いていても良い。なお、アンテナ素子の延びる方向は、アンテナ素子の最小包含領域の延びる方向を意味している。アンテナ素子の最小包含領域とは、アンテナ素子を含み、かつ、周長が最も短い領域を意味する。上述の各実施例のように矩形のチップアンテナを利用する場合には、その矩形の長辺方向にアンテナ素子が延びているということができる。
【０１０２】
また、２つのアンテナ素子とグランド導体部３００とが平行に延びる場合に、さらに、２つのアンテナ素子のそれぞれの給電部が、同じ側に設けられていることが好ましい。例えば、図５（Ｂ）の例では、同じ−ｙ側に給電パッド７９０、８９０が設けられている。こうすれば、アンテナ装置の同じ側から２つのアンテナ素子への給電が可能となるので、無線通信機器の小型化が可能となる。
【０１０３】
ここで、Ｔ時形のグランド電極を利用する場合には、２つのアンテナ素子のそれぞれにおいて、グランド伸長方向（＋ｙ方向）とは逆方向側（−ｙ側）の端が、給電部であることが好ましい。こうすれば、給電部の近傍に突出部３１０、３２０を形成せずに済むので、グランド電極と２つのアンテナ素子との形成が容易である。
【０１０４】
また、２つのアンテナ素子の給電部側に、グランド導電パターンが配置されることが好ましい。こうすれば、給電部の近くに信号処理回路を実装することができるので、無線通信機器の小型化が可能となる。ここで、誘電体基板９００の厚さ方向に沿って見たときに、各アンテナ素子が、グランド導電パターンと重ならない位置に配置されていることが好ましい。こうすれば、各アンテナ素子を利用した無線通信が、グランド導電パターンによって遮られることを抑制できる。
【０１０５】
なお、アンテナ素子が設けられている基板から、グランド導電パターンが省略されてもよい。また、信号処理回路が実装された基板とは別の基板に、アンテナ装置が設けられても良い。
【０１０６】
変形例４：
上述の各実施例において、第１アンテナ素子の少なくとも一部が、誘電体あるいは磁性体の表面または内部に設けられていることが好ましい。こうすれば、第１アンテナ素子を小型化することができる。これは、第２アンテナ素子についても同様である。
【０１０７】
なお、誘電体としては、種々の材料を採用可能である。例えば、ホウケイ酸ガラス系セラミックやガラスエポキシ等を採用可能である。また、誘電体の比誘電率は、望ましい周波数帯での通信が可能なように実験的に決定すればよい。これらは、誘電体基板９００についても同様である。
【０１０８】
また、磁性体としては、種々の材料を採用可能である。例えば、フェライトやＹＩＧ（イットリウム・アイアン・ガーネット）を採用可能である。また、磁性体の比透磁率は、望ましい周波数帯での通信が可能なように実験的に決定すればよい。
【図面の簡単な説明】
【０１０９】
【図１】アンテナ装置１０の説明図である。
【図２】アンテナ装置１０の説明図である。
【図３】第２アンテナ２００の分解斜視図である。
【図４】アンテナ導体部２１０の上面図である。
【図５】アンテナ装置の比較例と第１実施例との上面図である。
【図６】反射特性を示すグラフである。
【図７】アイソレーション特性を示すグラフである。
【図８】アンテナ素子とグランド導体部３００との位置関係を示す説明図である。
【図９】第１アンテナ素子とグランド電極と第２アンテナ素子との位置関係の概略を示す説明図である。
【図１０】第２実施例のアンテナ装置２０の上面図である。
【図１１】反射特性を示すグラフである。
【図１２】アイソレーション特性を示すグラフである。
【図１３】第３実施例のアンテナ装置３０の上面図である。
【図１４】反射特性に対する突出部の長さＬｐの影響を示すグラフである。
【符号の説明】
【０１１０】
１０、２０、３０、Ｃ１０…アンテナ装置
１００…第１チップアンテナ
１００ｅ、Ａ１０…第１アンテナ素子
１８０…端子
２００…第２チップアンテナ
２００ｅ、Ａ２０…第２アンテナ素子
２１０…アンテナ導体部
２１１…第１導体部
２１２…第２導体部
２１３…第３導体部
２１６…切込
２１８…開口
２２１…第１誘電層
２２２…第２誘電層
２８０…端子
３００…グランド導体部
３１０…第１突出部
３２０…第２突出部
４００…グランド導電パターン
５１０…第１給電ライン
５２０…第２給電ライン
７８０…固定パッド
７９０…第１給電パッド
８８０…固定パッド
８９０…第２給電パッド
９００…誘電体基板
Ｐ１〜Ｐ６…突出部
Ｆ１、Ｆ２…給電点
ＧＡ…グランド領域
ＳＣ…信号処理回路
ＣＬ…中心線
ＧＥ…グランド電極
ＯＬ１…輪郭
【図１】
2008300897.tif 000003
【図２】
2008300897.tif 000004
【図３】
2008300897.tif 000005
【図４】
2008300897.tif 000006
【図５】
2008300897.tif 000007
【図６】
2008300897.tif 000008
【図７】
2008300897.tif 000009
【図８】
2008300897.tif 000010
【図９】
2008300897.tif 000011
【図１０】
2008300897.tif 000012
【図１１】
2008300897.tif 000013
【図１２】
2008300897.tif 000014
【図１３】
2008300897.tif 000015
【図１４】
2008300897.tif 000016